(57)【要約】【課題】飛灰の固着を抑止でき、飛灰を後段に良好に搬送できる飛灰搬送装置及び飛灰搬送方法を提供する。【解決手段】潮解性が塩化カルシウムより低い低潮解性物質を飛灰に供給する供給装置１と、供給装置１により低潮解性物質が供給された飛灰を、導入する際の導入温度以下の温度で搬送するスクリューコンベア１５とを備え、これにより、飛灰の潮解性を低減して飛灰の固着を抑止し、飛灰を後段に良好に搬送することを可能とする。【選択図】図１
2014221454.tif 000002
【特許請求の範囲】
【請求項１】
潮解性が塩化カルシウムより低い低潮解性物質を飛灰に供給する供給手段と、
前記供給手段により前記低潮解性物質が供給された前記飛灰を、導入する際の導入温度以下の温度で搬送する飛灰搬送手段と、
を備える飛灰搬送装置。
【請求項２】
前記低潮解性物質が水酸化カルシウムである、請求項１記載の飛灰搬送装置。
【請求項３】
前記飛灰搬送手段は、スクリューコンベアである請求項１又は２記載の飛灰搬送装置。
【請求項４】
潮解性が塩化カルシウムより低い低潮解性物質を飛灰に供給し、
前記低潮解性物質が供給された前記飛灰を、飛灰搬送手段に導入する際の導入温度以下の温度で前記飛灰搬送手段により搬送する、飛灰搬送方法。
【発明の詳細な説明】
【技術分野】
【０００１】
本発明は、飛灰を搬送するための装置及び方法に関する。
【背景技術】
【０００２】
炉から排出された排ガス中の飛灰をバグフィルタで捕集し、捕集された飛灰をスクリューコンベアにより後段に搬送する設備が知られている（例えば、特許文献１参照）。
【先行技術文献】
【特許文献】
【０００３】
【特許文献１】特開２０１１−９８２６４号公報
【発明の概要】
【発明が解決しようとする課題】
【０００４】
ここで、上述したようにスクリューコンベアで飛灰を搬送する場合には、飛灰自身が有する吸湿特性によって、飛灰がスクリューコンベアのスクリューや、スクリュー及びその回転軸を収容する筐体の内壁に固着しやすい。このように飛灰がスクリューや筐体の内壁に固着すると、固着した飛灰がスクリューの回転を妨げ、スクリューコンベアによる飛灰の搬送に支障をきたす場合がある。
【０００５】
本発明は、このような課題を解決するためになされたものであり、飛灰の固着を抑止でき、飛灰を後段に良好に搬送できるスクリューコンベアを始めとした飛灰搬送装置及び飛灰搬送方法を提供することを目的とする。
【課題を解決するための手段】
【０００６】
ここで、本発明者は鋭意研究を重ねた結果、飛灰に多量に含まれる塩化カルシウムの潮解作用により飛灰が固着しやすくなることを見出し、本発明に至った。
【０００７】
そこで、本発明による飛灰搬送装置は、潮解性が塩化カルシウムより低い低潮解性物質を飛灰に供給する供給手段と、供給手段により低潮解性物質が供給された飛灰を、導入する際の導入温度以下の温度で搬送する飛灰搬送手段と、を備える。
【０００８】
また、本発明による飛灰搬送方法は、潮解性が塩化カルシウムより低い低潮解性物質を飛灰に供給し、低潮解性物質が供給された飛灰を、飛灰搬送手段に導入する際の導入温度以下の温度で飛灰搬送手段により搬送する。
【０００９】
この飛灰搬送装置及び飛灰搬送方法では、飛灰に多量に含まれる塩化カルシウムより潮解性が低い低潮解性物質が飛灰に供給されるため、被搬送物に占める低潮解性物質の割合が多くなり、これにより被搬送物の潮解性が低減される。その結果、飛灰搬送手段における飛灰の固着が抑止され、飛灰を後段に良好に搬送することができる。また、飛灰を加熱することにより飛灰の潮解性の低下を図ることができるが、このような低潮解性物質の供給により被搬送物の潮解性を下げることができるため、飛灰に対する加熱を行う必要がない。
【００１０】
ここで、上記飛灰搬送装置において、低潮解性物質が水酸化カルシウムであることが好ましい。この場合には、水酸化カルシウムが容易に入手できるため、飛灰の固着が低コストで抑止され、飛灰を後段に良好に搬送することができる。
【００１１】
また、上記作用を好適に奏する飛灰搬送手段としては、具体的には、スクリューコンベアが挙げられる。
【発明の効果】
【００１２】
本発明によれば、飛灰の固着を抑止でき、飛灰を後段に良好に搬送できる飛灰搬送装置及び飛灰搬送方法を提供することができる。
【図面の簡単な説明】
【００１３】
【図１】本発明の実施形態に係る飛灰搬送装置を示す概略側面構成図である。
【図２】塩化カルシウムの割合と粉末の付着率との関係を示すグラフである。
【発明を実施するための形態】
【００１４】
以下、本発明による飛灰搬送方法を採用した飛灰搬送装置の好適な実施形態について図面を参照しながら説明する。図１は、本発明の実施形態に係る飛灰搬送装置を示す概略側面構成図である。
【００１５】
本実施形態の飛灰搬送装置１００は、ロータリーキルン等の溶融炉からの飛灰を後段に搬送するためのものである。このような飛灰は、特に塩化カルシウムを多く含有し、吸湿しやすい特性を有している。
【００１６】
飛灰搬送装置１００は、溶融炉からの飛灰に低潮解性物質を供給する供給手段である供給装置１と、この低潮解性物質が供給された飛灰を捕集する集塵機としてのバグフィルタ１１と、バグフィルタ１１からの飛灰及び低潮解性物質を搬送する飛灰搬送手段であるスクリューコンベア１５を備えている。
【００１７】
供給装置１は、溶融炉からの排ガスがバグフィルタ１１に流れる排ガス流路Ｌ１に対して設けられている。供給装置１は、溶融炉から排出された飛灰に、潮解性が塩化カルシウムより低い低潮解性物質を供給するための装置である。低潮解性物質としては、水酸化カルシウム（Ｃａ（ＯＨ）２）、水酸化マグネシウム（Ｍｇ（ＯＨ）２）、炭酸マグネシウム（ＭｇＣＯ３）、炭酸カルシウム（ＣａＣＯ３）等が挙げられ、特に、容易に入手できる水酸化カルシウムを用いることが好適である。
【００１８】
バグフィルタ１１は、排ガス流路Ｌ１の下流側に配置されている。バグフィルタ１１は、低潮解性物質が供給された飛灰をフィルタ１２により捕集するためのものである。そして、バグフィルタ１１は、フィルタ１２の下流側に排ガス排出口１３を備えると共に、フィルタ１２の上流側の下部に飛灰及び低潮解性物質をスクリューコンベア１５へ排出する排出口１４を備えている。
【００１９】
スクリューコンベア１５は、その軸線が水平となるように設置され両端が閉塞された長尺ドラム状の胴部（筐体、ケーシング）２を備え、この胴部２内に内部空間５が画成されている。胴部２の一方の端部（図示右端部）の上側には、バグフィルタ１１からの飛灰及び低潮解性物質を内部空間５に導入するための導入口６が開口され、他方の端部（図示左端部）の下側には、搬送した被搬送物を後段へ排出するための排出口７が開口されている。
【００２０】
内部空間５には、回転体としての回転軸３及び送り羽根（スクリュー）４が胴部２と同軸に配設されている。回転軸３は、円筒状に構成されて胴部２の両端を貫通し、胴部２の外側に設けられた軸受８，８に回転可能に支持され、胴部２外に設置されたモータ９の駆動に従って回転する。
【００２１】
送り羽根４は、回転軸周り（回転軸３の周囲）に螺旋状を成すように構成される。この送り羽根４は、その外周縁が胴部２の内周面に近接するように、回転軸３に取り付けられている。
【００２２】
そして、スクリューコンベア１５は、導入口６から導入された飛灰及び低潮解性物質を加熱することなく搬送する。換言すれば、スクリューコンベア１５は、飛灰及び低潮解性物質を、スクリューコンベア１５へ導入する際の温度である導入温度以下の温度で搬送する。
【００２３】
このような構成を有する飛灰搬送装置１００によれば、排ガス流路Ｌ１において、供給装置１により飛灰に低潮解性物質が供給され、この低潮解性物質が供給された飛灰はバグフィルタ１１のフィルタ１２により下流への進行が阻止され、飛灰が除去された排ガスは、排ガス排出口１３から後段へ排出される。一方、低潮解性物質が供給された飛灰は、排出口１４、導入口６を通してスクリューコンベア１５の胴部２内の内部空間５に導入され、モータ９の回転に従い回転する回転軸３及び送り羽根４により、排出口７に向かって搬送される。
【００２４】
ここで、飛灰には、飛灰に多量に含まれる塩化カルシウムより潮解性の低い低潮解性物質が供給されているため、被搬送物に占める低潮解性物質の割合が多くなり、これにより被搬送物の潮解性が低減されている。その結果、スクリューコンベア１５の送り羽根４や胴部２の内壁における飛灰の固着が抑止され、固着した飛灰により送り羽根４の回転が妨げられることがない。したがって、飛灰搬送装置１００によれば、飛灰を後段に良好に搬送することができる。
【００２５】
また、飛灰を加熱することにより飛灰の潮解性の低下を図ることができるが、本実施形態のように低潮解性物質の供給により被搬送物の潮解性を下げることができるため、被搬送物に対する加熱を行う必要がない。
【００２６】
また、低潮解性物質として水酸化カルシウムを用いた場合には、水酸化カルシウムが容易に入手できるため、スクリューコンベア１５における飛灰の固着が低コストで抑止される。
【００２７】
なお、本発明者は、被搬送物を構成する塩化カルシウムと低潮解性物質の混合比と、飛灰の固着しやすさとの関連を評価するために、以下に示す付着性評価実験を行った。
【００２８】
この付着性評価実験では、塩化カルシウムと、低潮解性物質としての水酸化カルシウムとを混合した混合粉末を用意し、この混合粉末を、漏斗を用いて時計皿に自然堆積させた。漏斗と時計皿との間隔は５０ｍｍとした。次に、混合粉末を、室温で相対湿度９０±５％に保たれた密閉容器の内部に１時間置き、混合粉末に吸湿させた。その後、時計皿を密閉容器の外に取り出し、９０°傾斜させて、時計皿に付着した粉末の質量の、吸湿後の混合粉末全体の質量に対する割合を付着率として求めた。以上の実験を、混合粉末における塩化カルシウムの割合（重量パーセント）を０％、１０％、１５％、２０％、２５％、５０％、７５％、１００％と変化させて行った。
【００２９】
図２に付着性評価実験の結果を示す。図２は、塩化カルシウムの割合と混合粉末の付着率との関係を示すグラフである。塩化カルシウムの割合が２０重量％以上の場合には、付着率がほぼ１００重量％であり、混合粉末がほぼ全て時計皿に付着していることが分かる。これに対し、塩化カルシウムの割合が２０重量％を下回ると付着率が下がっており、塩化カルシウムの割合が約１５重量％以下の場合には、付着率は２５重量％程度以下となっていて、混合粉末の大半が時計皿に付着せずに落下していることが分かる。この付着性評価実験の結果は、飛灰搬送装置の実機における固着性評価実験の結果とほぼ一致している。すなわち、飛灰搬送装置の実機においても、低潮解性物質を飛灰に供給することで、被搬送物における塩化カルシウムの割合が２０重量％を下回ると、スクリューコンベアにおける飛灰の固着を抑止できる。
【００３０】
以上、本発明をその実施形態に基づき具体的に説明したが、本発明は上記実施形態に限られるものではない。例えば、上記実施形態では、溶融炉からの溶融飛灰を対象としているが、燃焼炉からの燃焼飛灰を対象としてもよい。
【００３１】
また、特に好適であるとして、飛灰搬送手段をスクリューコンベア１５としているが、他の飛灰搬送手段に対しても適用可能である。
【００３２】
さらに、上記実施形態では、特に好適であるとして、供給装置１により機械的に低潮解性物質を供給しているが、作業者が低潮解性物質を供給するようにしてもよい。
【符号の説明】
【００３３】
１…供給装置（供給手段）、１５…スクリューコンベア（飛灰搬送手段）、１００…飛灰搬送装置。
【図１】
2014221454.tif 000003
【図２】
2014221454.tif 000004